(57)【要約】  中フレーム２０に前側および後側フレーム１０，３０を取り付けるようにしたフレーム構造体において、各フレーム１０，３０の強度を容易に確保できるようにするとともに、大きな衝撃に対し前側フレーム１０又は後側フレーム３０を中フレーム２０から外れにくくできるようにする。  前側および後側フレーム１０，３０を、側面部１２，３２同士が互いに重なり合うように設けるとともに、中フレーム２０の側面に複数の突起部２１を設け、側面部１２（３２）が内側方に位置するフレーム１０（３０）は、側面部１２（３２）に設けた係合部１３（３３）を突起部２１に係止させることにより中フレーム２０に取り付け、一方、側面部３２（１２）が外側方に位置するフレーム３０（１０）は、側面部３２（１２）に設けた係合部３３（１３）を突起部２１に係止させることにより中フレーム２０に取り付けるようにする。
2009034670.tif 000002
【特許請求の範囲】
【請求項１】
中フレームと、
前記中フレームの前面側および側面側にそれぞれ配置されるように設けられた前面部および側面部を有し、該前面部および側面部がそれぞれ前記中フレームの前面側および側面側に位置する状態に該中フレームに取り付けられた前側フレームと、
前記中フレームの後面側および側面側にそれぞれ配置されるように設けられた後面部および側面部を有し、該後面部および側面部がそれぞれ前記中フレームの後面側および側面側に位置する状態に該中フレームに取り付けられた後側フレームとを備えたフレーム構造体であって、
前記前側フレームおよび前記後側フレームは、側面部同士が互いに重なり合うように設けられ、
前記中フレームは、各々、該中フレームの側面に外側方に向かって突出するように設けられた複数の突起部を有し、
前記前側フレームおよび前記後側フレームのうち、前記側面部が内側方に位置するフレームは、前記複数の突起部にそれぞれ係止されるように該フレームの前記側面部に設けられた複数の係合部を有していて、該複数の係合部がそれぞれ前記複数の突起部に係止されることにより前記中フレームに取り付けられ、
前記前側フレームおよび前記後側フレームのうち、前記側面部が外側方に位置するフレームは、前記複数の突起部にそれぞれ係止されるように該フレームの前記側面部に設けられた複数の係合部を有していて、該複数の係合部がそれぞれ前記複数の突起部に係止されることにより前記中フレームに取り付けられていることを特徴とするフレーム構造体。
【請求項２】
請求項１に記載のフレーム構造体において、
前記側面部が内側方に位置する前記フレームは、前記複数の突起部がそれぞれ外側方に露呈するように該フレームの前記側面部の一部を切り欠いた状態に設けられた複数の切欠部を有し、
前記側面部が内側方に位置する前記フレームの有する前記複数の係合部は、それぞれ前記複数の切欠部の切欠縁の一部により構成され、
前記側面部が外側方に位置する前記フレームの有する前記複数の係合部の前記突起部による前記係止は、前記複数の切欠部を経由して行われるように構成されていることを特徴とするフレーム構造体。
【請求項３】
中フレームと、
前記中フレームの前面側および側面側にそれぞれ配置されるように設けられた前面部および側面部を有し、該前面部および側面部がそれぞれ前記中フレームの前面側および側面側に位置する状態に該中フレームに取り付けられた前側フレームと、
前記中フレームの後面側および側面側にそれぞれ配置されるように設けられた後面部および側面部を有し、該後面部および側面部がそれぞれ前記中フレームの後面側および側面側に位置する状態に該中フレームに取り付けられた後側フレームとを備えたフレーム構造体であって、
前記前側フレームおよび前記後側フレームは、側面部同士が互いに重なり合うように設けられ、
前記中フレームは、各々、該中フレームの側面に外側方に向かって突出するように設けられた複数の突起部を有し、
前記前側フレームおよび前記後側フレームのうち、前記側面部が内側方に位置するフレームは、前記複数の突起部にそれぞれ係止されるように該フレームの前記側面部に設けられた複数の係合部と、該フレームの前記側面部に設けられた複数の係止部とを有していて、前記複数の係合部がそれぞれ前記複数の突起部に係止されることにより前記中フレームに取り付けられ、
前記前側フレームおよび前記後側フレームのうち、前記側面部が外側方に位置するフレームは、前記複数の係止部に係止されるように該フレームの前記側面部に設けられた複数の係合部を有していて、該複数の係合部がそれぞれ前記複数の係止部に係止されることにより、前記側面部が内側方に位置する前記フレームを介して前記中フレームに取り付けられていることを特徴とするフレーム構造体。
【請求項４】
請求項３に記載のフレーム構造体において、
前記側面部が内側方に位置する前記フレームは、前記複数の突起部がそれぞれ外側方に露呈するように該フレームの側面部の一部を切り欠いた状態に設けられた複数の切欠部を有し、
前記側面部が内側方に位置する前記フレームの有する前記複数の係合部および前記複数の係止部は、それぞれ前記複数の切欠部の切欠縁の一部により構成されていることを特徴とするフレーム構造体。
【請求項５】
請求項１，２，３又は４のうちの何れか１項に記載のフレーム構造体を備えた表示装置であって、
前記フレーム構造体の前記中フレームに支持され、視覚情報を表示する表示パネルを備え、
前記前側フレームの前記前面部は、前記表示パネルにおける表示エリアの周縁部を覆うように形成されていることを特徴とする表示装置。
【請求項６】
請求項５に記載の表示装置において、
前記表示パネルは、１対の透明基板と、該１対の透明基板間に配置された液晶層とを有する液晶表示パネルとされていることを特徴とする表示装置。
【発明の詳細な説明】
【技術分野】
【０００１】
本発明は、例えば液晶表示モジュールなどの機器を収容するモバイル用装置のフレーム構造体に関し、特に強度を向上させる対策に関する。
【背景技術】
【０００２】
一般に、液晶表示パネルユニットおよびバックライトユニットからなる液晶表示モジュールなどの機器を収容するためのフレーム構造体としては、特許文献１および特許文献２に記載されているように、前面側が開口されている一方、後面側が閉塞された状態のフレームと、このフレームの前面側に取り付けられた前側フレームとを備えたものや、特許文献３および特許文献4に記載されているように、前面側および後面側が共に開口された中フレームと、この中フレームにそれぞれ取り付けられた前側フレームおよび後側フレームとを備えたものが知られており、特に、後者の場合は、モバイル用液晶表示装置のフレーム構造体に多く見られる。【０００３】
具体的には、そのようなモバイル用装置のフレーム構造体は、図１３（分解斜視図）に示すように、前面側および後面側がそれぞれ開口された矩形枠状の中フレーム２００と、前面部１１０および側面部１２０を有していて、該前面部１１０および側面部１２０がそれぞれ中フレーム２００の前面側および側面側に位置する状態に該中フレーム２００に取り付けられた前側フレーム１００と、後面部３１０および側面部３２０を有していて、該後面部３１０および側面部３２０がそれぞれ中フレーム２００の後面側および側面側に位置する状態に該中フレーム２００に取り付けられた後側フレーム３００とを備えている。【０００４】
ところで、従来の場合には、図１４（要部拡大分解斜視図）にも示すように、中フレーム２００の側面には、前側フレーム専用の複数の突起部２１１と、後側フレーム専用の複数の突起部２１３とが設けられている一方、前側フレーム１００の側面部１２０には、前側フレーム用突起部２１１に係止される係合部１３０が、また後側フレーム３００の側面部３２０には、後側フレーム用突起部２１３に係止される係合部３３０がそれぞれ設けられている。【０００５】
そして、前側フレーム１００の側面部１２０は、図１５（ａ）（前面図）およびそのｂ−ｂ線断面図である図１５（ｂ）に示すように、対応する突起部２１１が外側方に露呈するように設けられた開口部１４０を有しており、この開口部１４０の後側開口縁により係合部１３０が構成されている。一方、後側フレーム３００の側面部３２０は、図１６（ａ）（前面図）およびそのｂ−ｂ線断面図である図１６（ｂ）に示すように、対応する突起部２１３が外側方に露呈するように設けられた開口部３４０を有しており、この開口部３４０の前側開口縁により係合部３４０が構成されている。
【特許文献１】特開２００３−１６６５１３号公報（第３頁，図１および図２）
【特許文献２】特開平１１−２３１２９０号公報（第３頁，図１および図３）
【特許文献３】特開２０００−２５８７５６号公報（第４頁，図４および図５）
【特許文献４】特開２００３−２７９９３４号公報（第６頁，図２および図３）
【発明の開示】
【発明が解決しようとする課題】
【０００６】
ところで、上記従来の場合には、前側フレーム１００の側面部１２０と、後側フレーム３００の側面部３２０とが互いに干渉するのを避けるべく、前側フレーム１００の側面部１２０については、図１４に仮想線で示すように、後側フレーム３００の係合部３３０を含む部分に対応する部位１９０が除去された状態になっている一方、後側フレーム３００の側面部３４０については、前側フレーム１００の係合部１３０を含む部位に対応する部分３９０が除去された状態になっていて、互いに重なり合わないようになっており、これらのために、それら除去部分１９０，３９０の分だけ各フレーム１００，３００の強度が弱くなるという問題がある。【０００７】
また、前側フレーム１００および後側フレーム３００の何れのフレーム１００（又は３００）についても、落下衝撃などの大きな衝撃を受けたときに、係合部１３０（又は３３０）が突起部２１１（又は２１３）から外側方に変位する状態に変位して中フレーム２００から外れ易く、フレーム構造体内の機器に対する保護機能が低いという問題もある。【０００８】
本発明は、斯かる諸点に鑑みてなされたものであり、その主な目的は、中フレームの前側および後側にそれぞれ前側フレームおよび後側フレームを取り付けて、モバイル用液晶表示ユニットなどの表示ユニットを収容するようにしたモバイル用装置のフレーム構造体において、中フレームに対する前側フレームおよび後側フレームの取付けに支障をきたすことなく、前側フレームおよび後側フレームの各側面部の除去部分を大幅に削減して各フレームの強度を容易に確保できるようにするとともに、大きな衝撃に対し、前側フレーム又は後側フレームを中フレームから外れにくくできるようにすることにある。
【課題を解決するための手段】
【０００９】
上記の目的を達成すべく、本発明では、前側フレームの側面部と後側フレームの側面部とを重ね合わせるようにすることで、各フレームの側面部における除去部分を少なくするとともに、側面部が内側方に位置するフレームの係合部を、側面部が外側方に位置するフレームにより押さえ込んで、対応する突起部から外れにくくなるようにした。【００１０】
具体的には、本発明では、中フレームと、この中フレームの前面側および側面側にそれぞれ配置されるように設けられた前面部および側面部を有していて、該前面部および側面部がそれぞれ中フレームの前面側および側面側に位置する状態に該中フレームに取り付けられた前側フレームと、前記中フレームの後面側および側面側にそれぞれ配置されるように設けられた後面部および側面部を有していて、該後面部および側面部がそれぞれ中フレームの後面側および側面側に位置する状態に該中フレームに取り付けられた後側フレームとを備えたフレーム構造体を前提としている。【００１１】
そして、前記前側フレームおよび前記後側フレームは、側面部同士が互いに重なり合うように設けられているとともに、前記中フレームは、各々、該中フレームの側面に外側方に向かって突出するように設けられた複数の突起部を有するものとする。【００１２】
その上で、前記前側フレームおよび前記後側フレームのうち、前記側面部が内側方に位置するフレームは、前記複数の突起部にそれぞれ係止されるように該フレームの前記側面部に設けられた複数の係合部を有していて、該複数の係合部がそれぞれ前記複数の突起部に係止されることにより前記中フレームに取り付けられており、一方、前記前側フレームおよび前記後側フレームのうち、前記側面部が外側方に位置するフレームは、前記複数の突起部にそれぞれ係止されるように該フレームの前記側面部に設けられた複数の係合部を有していて、該複数の係合部がそれぞれ前記複数の突起部に係止されることにより前記中フレームに取り付けられているものとする。【００１３】
尚、上記構成の場合には、前記側面部が内側方に位置する前記フレームについて、前記複数の突起部がそれぞれ外側方に露呈するように該フレームの前記側面部の一部を切り欠いた状態に設けられた複数の切欠部を有するものとした上で、このフレームの有する前記複数の係合部は、それぞれ前記複数の切欠部の切欠縁の一部により構成されているとともに、前記側面部が外側方に位置する前記フレームの有する前記複数の係合部の前記突起部による前記係止は、前記複数の切欠部を経由して行われるように構成されているものとすることができる。【００１４】
また、前記中フレームの前記複数の突起部を、前側フレームおよび後側フレームのうちの何れか一方のフレーム用に専用化する場合には、前記前側フレームおよび前記後側フレームのうち、前記側面部が内側方に位置するフレームは、前記複数の突起部にそれぞれ係止されるように該フレームの前記側面部に設けられた複数の係合部と、該フレームの前記側面部に設けられた複数の係止部とを有していて、前記複数の係合部がそれぞれ前記複数の突起部に係止されることにより前記中フレームに取り付けられており、一方、前記前側フレームおよび前記後側フレームのうち、前記側面部が外側方に位置するフレームは、前記複数の係止部に係止されるように該フレームの前記側面部に設けられた複数の係合部を有していて、該複数の係合部がそれぞれ前記複数の係止部に係止されることにより、前記側面部が内側方に位置するフレームを介して前記中フレームに取り付けられているものとすることができる。【００１５】
尚、上記構成の場合には、前記側面部が内側方に位置する前記フレームについて、前記複数の突起部がそれぞれ外側方に露呈するように該フレームの側面部の一部を切り欠いた状態に設けられた複数の切欠部を有するものとした上で、このフレームの有する前記複数の係合部および前記複数の係止部は、それぞれ前記複数の切欠部の切欠縁の一部により構成されているものとすることができる。【００１６】
さらに、上記のように構成されたフレーム構造体を備えた表示装置としては、前記フレーム構造体の前記中フレームに支持されていて、視覚情報を表示する表示パネルを備えており、前記前側フレームの前記前面部が、前記表示パネルにおける表示エリアの周縁部を覆うように形成されたものとすることができる。この場合、前記表示パネルとして、１対の透明基板と、該１対の透明基板間に配置された液晶層とを有する液晶表示パネルとすることもできる。
【発明の効果】
【００１７】
本発明によれば、前側フレームおよび後側フレームの側面部同士を互いに重ね合わせることができるので、従来のように側面部同士が重なり合わない場合に比べて、前側フレームおよび後側フレームの各強度を共に高めることができ、よって、フレーム構造体としての強度向上に貢献することができるとともに、側面部が内側方向に位置するフレームの係合部が突起部から外れようとする方向の動きを、側面部が外側方に位置するフレームの前記側面部により規制することができ、よって、例えば落下衝撃を受けたときに、側面部が内側方に位置するフレームを中フレームから外れにくくしてフレーム構造体内の機器に対する保護機能を高めることができる。
【図面の簡単な説明】
【００１８】
【図１】図１は、本発明の実施形態１に係る液晶表示装置を示す斜視図である。
【図２】図２は、液晶表示装置の中フレーム，後側フレーム，前側フレームを示す分解斜視図である。
【図３】図３は、中フレーム，後側フレーム，前側フレームの各一部をそれぞれ拡大して示す分解斜視図である。
【図４】図４は、中フレームの側面部の要部を示す拡大図（ａ）およびそのｂ−ｂ線断面図（ｂ）である。
【図５】図５は、中フレームに後側フレームが取り付けられた状態を示す図４（ａ）相当図（ａ）およびそのｂ−ｂ線断面図（ｂ）である。
【図６】図６は、中フレームおよび後側フレームに前側フレームが取り付けられた状態を示す図４（ａ）相当図およびそのｂ−ｂ線断面図である。
【図７】図７は、本発明の実施形態２に係る液晶表示装置の中フレーム，後側フレーム，前側フレームを示す図２相当図である。
【図８】図８は、中フレームの要部を拡大して示す斜視図である。
【図９】図９は、中フレーム，後側フレーム，前側フレームの各要部を示す分解側面図である。
【図１０】図１０は、中フレームの側面部の要部を示す図４（ａ）相当図（ａ）およびそのｂ−ｂ線断面図（ｂ）である。
【図１１】図１１は、中フレームに前側フレームが取り付けられた状態を示す図１０（ａ）相当図（ａ）およびそのｂ−ｂ線断面図（ｂ）である。
【図１２】図１２は、中フレームおよび前側フレームに後側フレームが取り付けられた状態を示す図１０（ａ）相当図（ａ）およびそのｂ−ｂ線断面図である。
【図１３】図１３は、従来の液晶表示装置の中フレーム，後側フレーム，前側フレームを示す分解斜視図である。
【図１４】図１４は、中フレーム，後側フレーム，前側フレームの各一部をそれぞれ拡大して示す図３相当図である。
【図１５】図１５は、中フレームにおける後側フレームの取付状態を示す要部の拡大前面図（ａ）およびそのｂ−ｂ線断面図（ｂ）である。
【図１６】図１６は、中フレームにおける前側フレームの取付状態を示す要部の拡大前面図（ａ）およびそのｂ−ｂ線断面図（ｂ）である。
【符号の説明】
【００１９】
１０  前側フレーム
１１  前面部
１２  側面部
１３  係合部
１４  開口部（切欠部）
１５  係止部
２０  中フレーム
２１  突起部
３０  後側フレーム
３１  後面部
３２  側面部
３３  係合部
３４  開口部（切欠部）
４０  液晶表示パネル（表示パネル）
【発明を実施するための最良の形態】
【００２０】
以下、本発明の実施形態を、図面に基づいて説明する。【００２１】
（実施形態１）
図１は、本発明の実施形態１に係る液晶表示装置の全体構成を示す斜視図であり、この液晶表示装置は、液晶表示パネルユニットと、この液晶表示パネルユニットの後面側に配置されたバックライトユニットと、これら液晶表示パネルユニットおよびバックライトユニットからなる液晶表示モジュールを収容するフレーム構造体とを備えている。また、液晶表示パネルユニットは、主に１対の透明基板間に液晶層が配置されてなる液晶表示パネル４０を有してなっており、前記バックライトユニットは、光源体と、この光源体の光を導く導光板とを有してなっている。【００２２】
本フレーム構造体は、略矩形状をなす樹脂製の中フレーム２０と、この中フレーム２０の前面側および側面側にそれぞれ配置されるように設けられた前面部１１および側面部１２を有していて、それら前面部１１および側面部１２がそれぞれ中フレーム２０の前面側および側面側に位置する状態に該中フレーム２０に取り付けられた金属板からなる前側フレーム１０と、中フレーム２０の後面側および側面側にそれぞれ配置されるように設けられた後面部３１および側面部３２を有していて、それら後面部３１および側面部３２がそれぞれ中フレーム２０の後面側および側面側に位置する状態に該中フレーム２０に取り付けられた同じく金属板からなる後側フレーム３０とを備えている。【００２３】
また、前側フレーム１０および後側フレーム３０は、側面部１２，３２同士が互いに重なり合うように設けられている。具体的には、本実施形態では、後側フレーム３０は、その側面部３２が内側方に位置するように形成されており、前側フレーム１０は、その側面部１２が外側方に位置するように形成されている。さらに、中フレーム２０は、各々、該中フレーム２０の側面に外側方に向かって突出するように設けられた複数の突起部２１を有する。【００２４】
そして、本実施形態では、後側フレーム３０は、中フレーム２０の有する複数の突起部２１にそれぞれ係止されるように該後側フレーム３０の側面部３２に設けられた複数の係合部３３を有していて、それら係合部３３がそれぞれ複数の突起部２１に係止されることにより中フレーム２０に取り付けられており、一方、前側フレーム１０は、中フレーム２０の有する複数の突起部２１にそれぞれ係止されるように該前側フレーム１０の側面部１２に設けられた複数の係合部１３を有していて、それら係合部１３がそれぞれ複数の突起部２１に係止されることにより中フレーム２０に取り付けられている。尚、本実施形態の場合には、中フレーム２０の突起部２１，後側フレーム３０の係合部３３，前側フレーム１０の係合部１３は、それぞれ、４つとされている。【００２５】
具体的には、中フレーム２０の突起部２１は、該中フレーム２０の２つの長辺部および２つの短辺部のうち、２つの長辺部にそれぞれ２つずつ設けられている。つまり、本実施形態では、突起部２１は、４つとされている。各突起部２１の突出量は、後側フレーム３０の板厚寸法と、前側フレーム１０の板厚寸法とを足し合わせた寸法と略同じかそれよりも僅かに少ない程度とされている。また、各突起部２１は、長辺方向に延びる突条に形成されており、その前側に位置する側壁面が、後側フレーム３０の係合部３３を係止する前部係止面２１ａとされている一方、後側に位置する側壁面が、前側フレーム１０の係合部１３を係止する後部係止面２１ｂとされている。さらに、突起部２１の両端部には、それぞれ、中フレーム２０の側面と後面との間の稜線部分から前側に向かって外側方に漸次突出する傾斜面に形成された案内部２２が設けられている。この案内部２２は、係合部３３が突起部２１を乗り越えて該突起部２１に係止される位置まで後側フレーム３０を押圧して移動させる際、その移動量に応じて側面部３２を係合部３３が外側方に変位する方向に弾性変形させる機能を果たす。【００２６】
また、各突起部２１の頂部は、最頂部がなだらかに隆起する断面略逆Ｕ字状をなしている。特に、頂部の前側表面は、後方に向かって漸次外側方に変位するように傾斜する案内面２１ｃとされている。この案内面２１ｃは、係合部１３が突起部２１を乗り越えて該突起部２１に係止される位置まで前側フレーム１０を押圧して移動させる際、その移動量に応じて側面部１２を係合部１３が外側方に変位する方向に弾性変形させる機能を果たす。【００２７】
後側フレーム３０は、複数の係合部３３に加え、複数の突起部２１がそれぞれ外側方に露呈するように該後側フレーム３０の側面部３２の一部を切り欠いた状態に設けられた複数（本実施形態の場合には、４つ）の切欠部としての開口部３４を有しており、複数の係合部３３は、それぞれ複数の開口部３４の開口縁の一部からなっている。これら複数の係合部３３および複数の開口部３４は、後側フレーム３０の２つの長辺部および２つの短辺部のうち、２つの長辺部にそれぞれ２つずつ設けられている。各開口部３４は、共に長辺方向の寸法が前後方向の寸法よりも大きい略矩形状をなしている。また、長辺方向寸法は、突起部２１の長さ寸法（長辺方向寸法）よりも少しだけ大きくされている。各開口部３４における長辺方向に延びる前後２箇所の開口縁のうち、後側の開口縁は、後側フレーム３０の後面部３１と側面部３２との間の稜線部分に位置している。一方、前側の開口縁は、後側フレーム３０が中フレーム２０に適正に取り付けられた状態のときに、該開口縁が突起部２１の前部係止面２１ａに係止される位置に位置付けられるように配置されている。つまり、その前側の開口縁により、係合部３３が構成されている。【００２８】
前側フレーム１０は、複数の係合部１３に加え、複数の突起部２１がそれぞれ外側方に露呈するように該前側フレーム１０の側面部１２の一部を切り欠いた状態に設けられた複数（本実施形態の場合には、４つ）の切欠部としての開口部１４を有しており、複数の係合部１３は、それぞれ複数の開口部１４の開口縁の一部からなっている。これら複数の係合部１３および複数の開口部１４は、前側フレーム１０の２つの長辺部および２つの短辺部のうち、２つの長辺部にそれぞれ２つずつ設けられている。各開口部１４は、共に長辺方向の寸法が前後方向の寸法よりも大きい略矩形状をなしている。また、長辺方向寸法は、後側フレーム３０の各開口部３４の長辺方向寸法と略同じであり、突起部２１の長さ寸法（長辺方向寸法）よりも少しだけ大きくされている。各開口部１４における長辺方向に延びる前後２箇所の開口縁のうち、前側の開口縁は、前側フレーム１０が中フレーム２０に適正に取り付けられた状態のときに、該開口縁が突起部２１の前部係止面２１ａよりも前方に控えた位置に位置付けられるように配置されている。一方、後側の開口縁は、同じく前側フレーム１０が中フレーム２０に適正に取り付けられた状態のときに、該開口縁が突起部２１の後部係止面２１ｂに係止される位置に位置付けられるように配置されている。つまり、その後側の開口縁により、係合部１３が構成されている。【００２９】
さらに、前側フレーム１０の各係合部１３の長辺方向両側には、それぞれ、対応する開口縁から後方に向かって切込み１３ａが入れられていて、係合部１３を含む部分が該係合部１３の側を内側方に変位させる状態に切り起こされた舌片状に形成されており、このことで、前側フレーム１０の側面部１２よりも内側方の位置において、各係合部１３が突起部２１に係合するようになっている。【００３０】
ここで、上記のように構成された液晶表示装置におけるフレーム構造体の組立作業について説明する。【００３１】
中フレーム２０の後方に後側フレーム３０を配置し、その側面部３２が中フレーム２０の方に向いた状態で、後側フレーム３０を中フレーム２０に接近させる。後側フレーム３０の側面部３２が中フレーム２０の側面上を前方に向かって移動するように該後側フレーム３０を押圧すると、後側フレーム３０の側面部３２は、各案内部２２により、係合部３３が外側方に変位する方向に弾性変形させられつつ前方に移動する。そして、係合部３３が突起部２１を乗り越えた後は、後側フレーム３０の側面部３２は元の形状に弾性復帰して係合部３３が内側方に変位する。これにより、後側フレーム３０の係合部３３が、突起部２１の前部係止面２１ａに係止される位置に位置付けられるので、小さな押圧力でもって円滑に後側フレーム３０を中フレーム２０に取り付けることができる。【００３２】
次に、中フレーム２０の前方に前側フレーム１０を配置し、その側面部１２が中フレーム２０の方に向いた状態で、前側フレーム１０を中フレーム２０に接近させ、前側フレーム１０の側面部１２が後側フレーム３０の側面部３２上を後方に向かって移動するように該前側フレーム１０を押圧する。係合部１３が突起部２１を乗り越える際には、前側フレーム１０の側面部１２は、突起部２１の案内面２１ｃにより、係合部１３が外側方に変位する方向に弾性変形させられつつ後方に移動する。そして、係合部１３が突起部２１を乗り越えた後は、前側フレーム１０の側面部１２は元の形状に弾性復帰して係合部１３が内方に変位する。これにより、前側フレーム１０の係合部１３が、突起部２１の後部係止面２１ｂに係止される位置に位置付けられるので、小さな押圧力でもって円滑に前側フレーム１０を中フレーム２０に取り付けることができる。【００３３】
したがって、本実施形態によれば、中フレーム２０と、この中フレーム２０の前面および側面にそれぞれ前面部１１および側面部１２が重なるように配置されて該中フレーム２０に取り付けられた前側フレーム１０と、中フレーム２０の後面および側面にそれぞれ後面部３１および側面部３２が重なるように配置されて該中フレーム２０に取り付けられた後側フレーム３０とを備えたフレーム構造体に、液晶表示モジュールを収容するようにした液晶表示装置において、前側フレーム１０の側面部１２を後側フレーム３０の側面部３２に外側方から重なり合うように設けるとともに、中フレーム２０の側面に複数の突起部２１をそれぞれ外側方に向かって突出するように設け、その上で、後側フレーム３０の側面部３２に複数の係合部３３を設け、それら係合部３３をそれぞれ複数の突起部２１に係止させることで後側フレーム３０を中フレーム１０に取り付ける一方、前側フレーム１０の側面部１２に複数の係合部１３を設け、それら係合部１３をそれぞれ複数の突起部２１に係止させることで前側フレーム１０を中フレーム２０に取り付けるようにしたので、従来のように側面部同士が重なり合わない場合に比べて、前側フレーム１０および後側フレーム３０の各強度を共に高めることができ、よって、フレーム構造体としての強度向上に貢献することができるとともに、後側フレーム３０の各係合部３３がそれぞれ突起部２１から外れようとする方向の動きを、前側フレーム１０の側面部１２により規制することができ、よって、例えば落下衝撃を受けたときに、後側フレーム３０を中フレーム２０から外れにくくして液晶表示モジュールに対する保護機能を高めることができる。【００３４】
尚、上記の実施形態では、中フレーム２０の２つの長辺部に併せて４つの突起部２１を設けるようにしているが、突起部２１の設ける位置や設ける数などは、必要に応じて適宜設定することができる。但し、後側フレーム３０の係合部３３および開口部３４ならびに前側フレーム１０の係合部１３および開口部１４の位置や数については、突起部２１の位置や数に応じて設定することとなる。【００３５】
また、上記の実施形態では、前側フレーム１０の側面部１２および後側フレーム３０の側面部３２に、それぞれ開口部１４，３４を形成するようにしているが、それら開口部１４，３４に代えて、側面部１２，３２の一部が切り欠かれた状態の切欠部を形成するようにしてもよい。【００３６】
また、上記の実施形態では、後側フレーム３０の側面部３２が前側フレーム１０の側面部１２の内側方に位置する場合について説明しているが、本発明は、逆に、前側フレーム１０の側面部１２が後側フレーム３０の側面部３２の内側方に位置する場合にも適用することができる。但し、その場合には、中フレーム２０に対する後側フレーム３０および前側フレーム１０の取付順序が逆になるとともに、前側フレーム１０に、複数の突起部２１にそれぞれ係止される係合部１３を設ける代わりに、後側フレーム３０に、複数の突起部２１にそれぞれ係止される係合部を設けることとなる。【００３７】
（実施形態２）
図は、本発明の実施形態２に係る液晶表示装置におけるフレーム構造体の全体構成を示す分解斜視図であり、実施形態１の場合と同じ部分は同じ符号を付して示している。【００３８】
本実施形態では、実施形態１の場合とは逆に、前側フレーム１０の側面部１２が、後側フレーム３０の側面部３２の内側方に位置するようになっており、後側フレーム３０の側面部３２が最も外側方に位置するようになっている。また、中フレーム２０の側面には、実施形態１の場合と同じく、複数の突起部２１が外側方に向かって突出するように設けられている。【００３９】
そして、本実施形態では、前側フレーム１０は、複数の突起部２１にそれぞれ係止されるように該前側フレーム１０の側面部１２に設けられた複数の係合部１３と、該前側フレーム１０の側面部１２に設けられた複数の係止部１５とを有していて、複数の係合部１３がそれぞれ複数の突起部２１に係止されることにより中フレーム２０に取り付けられている一方、後側フレーム３０は、複数の係止部１５に係止されるように該後側フレーム３０の側面部３２に設けられた複数の係合部３３を有していて、それら複数の係合部３３がそれぞれ複数の係止部１５に係止されることにより、前側フレーム１０を介して中フレーム２０に取り付けられている。【００４０】
具体的には、中フレーム２０の複数の突起部２１は、２つを１組として、中フレーム２０の２つの長辺部および２つの短辺部のうち、２つの長辺部にそれぞれ４組ずつ、また２つの短辺部にそれぞれ２組ずつ、合計１２組が設けられている。各突起部２１の突出量は、前側フレーム１０ないし後側フレーム３０の板厚寸法と略同じとされている。つまり、実施形態１の場合に比べると、突出量が略半分とされている。また、長辺部の各組の２つの突起部２１は長辺方向に、また短辺部の各組の２つの突起部２１は短辺方向に、それぞれ並ぶように配置されている。各突起部２１は、平面視略矩形状に形成されており、その後側の側壁面が、前側フレーム３０の係合部１３を係止する後部係止面２１ｂとされている。さらに、各突起部２１の前側には、それぞれ、中フレーム２０の前面と側面との間の稜線部分から後方に向かって外側方に漸次突出する案内部２２が設けられている。この案内部２２は、前側フレーム１０の係合部１３が突起部２１を乗り越えて該突起部２１に係止される位置まで該前側フレーム１０を押圧して移動させる際、その移動量に応じて前側フレーム１０の側面部１２を係合部１３が外側方に変位する方向に弾性変形させる機能を果たす。また、突起部２１の頂部は、略平坦面とされている。【００４１】
そして、  前側フレーム１０は、複数の突起部２１がそれぞれ外側方に露呈するように該前側フレーム１０の側面部１２の一部を切り欠いた状態に設けられた複数の切欠部としての開口部１４を有しており、前記複数の係合部１３および複数の係止部１５は、それぞれ複数の開口部１４の開口縁の一部からなっている。これら複数の係止部１５および複数の開口部１４は、前側フレーム１０の２つの長辺部および２つの短辺部のうち、各長辺部に４つずつ、また各短辺部に２つずつ配置されている。つまり、中フレーム２０の各突起部２１毎に１つずつ対応するように配置されている。これに対し、複数の係合部１３は、各長辺部に８つずつ、また各短辺部に４つずつ配置されている。つまり，各突起部２１毎に２つずつ対応するように配置されている。【００４２】
前側フレーム１０の各開口部１４は、共に、対応する辺部の延びる方向（以降、辺方向という）が前後方向の寸法よりも大きい略矩形状をなしており、各開口部１４の辺方向寸法は、２つの突起部２１の辺方向外側壁面間の寸法よりも少しだけ大きくされている。また、各開口部１４における前後２箇所の開口縁のうち、前側の開口縁は、前側フレーム１０の前面部１１と側面部１２との間の稜線部分に位置している。一方、後側の開口縁は、前側フレーム１０が中フレーム２０に適正に取り付けられた状態のときに、該開口縁が突起部２１の後部係止面２１ｂに係止される位置に位置付けられるように配置されている。そして、その後側開口縁における辺方向両端部分により、２つの係合部１３が構成されている。つまり、各開口部１４毎に、２つの係合部１３が１組となって２つ１組の突起部２１に対応している。また、それら２つの係合部１３に挟まれた辺方向中間部分により、係止部１５が構成されている。その際に、各係止部１５の辺方向両側、つまり、各係止部１５とその両側の２つの係合部１３との間には、開口縁から後方に向かって延びる２筋の切込み１５ａが入れられていて、係止部１５を含む部分が該係止部１５の側を外側方に変位させる状態に切り起こされた舌片状に形成されている。【００４３】
後側フレーム３０は、前側フレームの複数の係止部１５がそれぞれ外側方に露呈するよういに該後側フレーム３０の側面部３２の一部を切り欠いた状態に設けられた複数の切欠部としての開口部３４を有しており、複数の係合部３３は、それぞれ複数の開口部３４の開口縁の一部からなっている。これら複数の開口部３４および複数の係合部３３は、後側フレーム３０の２つの長辺部および２つの短辺部のうち、各長辺部に４つずつ、また各短辺部に２つずつ配置されている。各開口部３４は、共に、辺方向寸法が全具方向寸法よりも大きい略矩形状をなしており、その辺方向寸法は、前側フレーム１０の開口部１４の場合と略同じである。また、各開口部３４における前後２箇所の開口縁のうち、後側の開口縁は、後側フレーム３０の後面部３１と側面部３２との間の稜線部分に位置している。一方、前側の開口縁は、後側フレーム３０が中フレーム２０に適正に取り付けられた状態のときに、該開口縁が前側フレーム１０の対応する開口部１４の後側開口縁に略重なる位置に位置付けられるようになっており、この前側開口縁の辺方向中間部分により、係合部３３が構成されている。また、この係合部３３の辺方向両側に前方に向かって延びる２筋の切込み３３ａが入れられていて、係合部３３を含む部分が該係合部３３の側を内側方に変位させる状態に切り起こされた舌片状に形成されており、このことで、より内側方の位置で係合部３３が係止部１５に係止されるようになっている。【００４４】
ここで、上記のように構成された液晶表示装置におけるフレーム構造体の組立作業について説明する。【００４５】
中フレーム２０の前方に前側フレーム１０を配置し、その側面部１２が中フレーム２０の方に向いた状態で、前側フレーム１０を中フレーム２０に接近させる。そして、前側フレーム１０の側面部１２が中フレーム２０の側面上に重なるように該前側フレーム１０を後方に向かって押圧すると、突起部２１に対応する前側フレーム１０の側面部１２は、係合部１３が突起部２１上に乗り上げて外側方に変位する状態に弾性変形しつつ後方に移動し、係合部１３が突起部２１を乗り越えた後は、側面部１２が元の形状に弾性復帰して係合部１３が内側方に変位する。これにより、前側フレーム１０の各係合部１３が、対応する突起部２１の後部係止面２１ｂにそれぞれ係止される位置に位置付けられるので、小さな押圧力でもって円滑に前側フレーム１０を中フレーム２０に取り付けることができる。【００４６】
次に、中フレーム２０の後方に後側フレーム３０を配置し、その側面部３２が中フレーム２０の方に向いた状態で、後側フレーム３０を中フレーム２０に接近させる。そして、後側フレーム３０の側面部３２が前側フレーム１０の側面部１２上に重なるように該後側フレーム１０を押圧すると、後側フレーム３０の側面部３２は、前側フレーム１０における係止部１５を含む舌片状部分に係合部３３が乗り上げて外側方に変位する状態に弾性変形しつつ前方に移動し、係合部３３が係止部１５を乗り越えた後は、側面部３２が元の形状に弾性復帰して係合部３３が内側方に変位する。これにより、後側フレーム３０の各係合部３３が、対応する係止部１５にそれぞれ係止される位置に位置付けられるので、小さな押圧力でもって円滑に後側フレーム３０を中フレーム２０に前側フレーム１０を介して取り付けることができる。【００４７】
したがって、本実施形態によれば、中フレーム２０と、この中フレーム２０の前面および側面にそれぞれ前面部１１および側面部１２が重なるように配置されて該中フレーム２０に取り付けられる前側フレーム１０と、中フレーム２０の後面および側面にそれぞれ後面部３１および側面部３２が重なるように配置されて該中フレーム２０に取り付けられる後側フレーム３０とを備えたフレーム構造体に、液晶表示モジュールを収容するようにした液晶表示装置において、前側フレーム１０の側面部１２が後側フレーム３０の側面部３２の内側方に位置するように設けるとともに、中フレーム２０の側面に複数の突起部２１をそれぞれ外側方に向かって突出するように設け、その上で、前側フレーム３０の側面部３２に、複数の突起部２１の後部係止面２１ｂにそれぞれ係止される複数の係合部１３と、複数の係止部１５とを設け、複数の係合部１３をそれぞれ複数の突起部２１に係止させることで前側フレーム１０を中フレーム２０に取り付ける一方、後側フレーム３０の側面部３２に、前記複数の係止部１５にそれぞれ係止される複数の係合部３３を設け、それら複数の係合部３３をそれぞれ複数の係止部１５に係止させることで、前側フレーム１０を介して後側フレーム３０を中フレーム２０に取り付けるようにしたので、従来のように側面部同士が重なり合わない場合に比べて、前側フレーム１０および後側フレーム３０の各強度を共に高めることができ、よって、フレーム構造体としての強度向上に貢献することができるとともに、前側フレーム１０の各係合部１３がそれぞれ突起部２１から外れようとする方向の動きを、後側フレーム３０の側面部３２により規制することができ、よって、例えば落下衝撃を受けたときに、前側フレーム１０を中フレーム２０から外れにくくして液晶表示モジュールに対する保護機能を高めることができる。【００４８】
尚、上記の実施形態では、中フレーム２０の２つの長辺部および２つの短辺部に２つ１組の突起部２１を併せて１２組設けるようにしているが、突起部２１の設ける位置や設ける数などは、必要に応じて適宜設定することができる。【００４９】
また、上記の実施形態では、前側フレーム１０の側面部１２および後側フレーム３０の側面部３２に、それぞれ開口部１４，３４を形成するようにしているが、一部が切り欠かれた状態の切欠部を形成するようにしてもよい。【００５０】
また、上記の実施形態では、前側フレーム１０の側面部１２が後側フレーム３０の側面部３２の内側方に位置する場合について説明しているが、本発明は、逆に、後側フレーム３０の側面部３２が前側フレーム１０の側面部１２の内側方に位置する場合にも適用することができる。但し、その場合には、中フレーム２０に対する前側フレーム１０および後側フレーム３０の取付順序が逆になるとともに、前側フレーム１０に、後側フレーム３０の係合部３３を係止する係止部１５を設ける代わりに、後側フレーム３０に、前側フレーム１０の係合部１３を係止する係止部を設けることとなる。【００５１】
さらに、上記２つの実施形態１，２では、共に、フレーム構造体に液晶表示モジュールを収容するようにした液晶表示装置の場合について説明しているが、本発明は、その他の種類の表示装置を含む種々の装置のフレーム構造体に適用することができる。
【図１】
2009034670.tif 000003
【図２】
2009034670.tif 000004
【図３】
2009034670.tif 000005
【図４】
2009034670.tif 000006
【図５】
2009034670.tif 000007
【図６】
2009034670.tif 000008
【図７】
2009034670.tif 000009
【図８】
2009034670.tif 000010
【図９】
2009034670.tif 000011
【図１０】
2009034670.tif 000012
【図１１】
2009034670.tif 000013
【図１２】
2009034670.tif 000014
【図１３】
2009034670.tif 000015
【図１４】
2009034670.tif 000016
【図１５】
2009034670.tif 000017
【図１６】
2009034670.tif 000018
【国際調査報告】
2009034670.tif 000019
2009034670.tif 000020
2009034670.tif 000021
2009034670.tif 000022